【手続補正書】
【提出日】平成28年11月4日(2016.11.4)
【手続補正１】
【補正対象書類名】特許請求の範囲
【補正対象項目名】全文
【補正方法】変更
【補正の内容】
【特許請求の範囲】
【請求項１】
ＣＴコリメータであって、
回転シャフト上に配置されて複数のブレードを有する回転スロット部分を備え、
各ブレードは異なる幅のスロットを有し、前記コリメータに入る放射線ビームは、前記複数のブレードの１つにおけるスロットのみを介して通ることができ、
各ブレード・スロットの、対応するブレードの長手方向に沿った各端部は凸状曲面構造を有し、前記ブレード・スロットの長手方向に沿った垂直面において前記スロットの２つの側端部は湾曲しており、
各ブレードは前記回転シャフトの中心と偏心して配設されている、ＣＴコリメータ。
【請求項２】
前記回転スロット部分を駆動して前記回転シャフトの周りに回転するように構成された単一のモータと、
前記回転シャフトの中心の周りの前記回転スロット部分の回転角度をモニタするためのエンコーダと、をさらに備えた請求項１に記載のＣＴコリメータ。
【請求項３】
前記回転スロット部分を駆動して前記回転シャフトの周りに回転するように構成された単一のモータをさらに備え、
前記単一のモータには、前記回転シャフトの中心の周りの前記回転スロット部分の回転角度をモニタするためのエンコーダが設けられている請求項１に記載のＣＴコリメータ。
【請求項４】
各ブレード端部の前記凸状曲面構造には、対応するブレードの前記長手方向に沿った垂直面内にある２つの曲線が含まれ、対応するブレードのブレード・スロットによって、前記２つの曲線に接する放射線ライン間の放射線ビームが通過することができる請求項１に記載のＣＴコリメータ。
【請求項５】
各ブレード端部の前記曲面構造には、このブレードの前記長手方向に沿った垂直面内にある２つの円弧が含まれ、このブレードのブレード・スロットによって、前記２つの円弧に接する放射線ライン間の放射線ビームが通過することができる請求項１に記載のＣＴコリメータ。
【請求項６】
前記２つの円弧に対する前記２つの円はそれぞれ、前記垂直面において、放射源の左側への最大シフト位置と放射線検出器の放射線検出面積の左および右端点との間の第１の接続ラインおよび第２の接続ラインの、前記放射源の右側への最大シフト位置と前記放射線検出面積の左および右端点との間の第３の接続ラインおよび第４の接続ラインに対する前記回転シャフトの中心の周りでの回転が、対応する交差部がブレード厚さ領域において前記第１の接続ラインと前記第３の接続ラインとの間および前記第２の接続ラインと前記第４の接続ラインとの間に存在する位置に到達したときに、前記位置において前記第１の接続ラインと前記第３の接続ラインとに接する第１の円、および前記位置において前記第２の接続ラインと前記第４の接続ラインとに接する第２の円である請求項１に記載のＣＴコリメータ。
【請求項７】
各ブレードは平面構造を有し、各ブレードのスロットの幅は、前記ブレードの前記長手方向に沿ってスロットの中心から前記スロットの２つの端部まで徐々に増加する請求項１に記載のＣＴコリメータ。
【請求項８】
各ブレードは円弧構造を有し、その円の中心は、前記ブレードを水平位置に置いたときに前記コリメータの外側の放射源の焦点上にある請求項１に記載のＣＴコリメータ。
【請求項９】
前記回転シャフトの中心が、前記対応するブレードの厚さ方向に沿った各スロットの延長領域内に配置されていないとき、前記対応するブレードは前記回転シャフトの中心と偏心している請求項１に記載のＣＴコリメータ。
【請求項１０】
ＣＴシステムであって、
請求項１〜９のいずれか一項に記載のＣＴコリメータと、
前記放射線検出器上に配置された放射線検出面積モニタリング・ユニットと、
コリメータ・コントローラであって、前記回転スロット部分の前記複数のブレードのうちの１つを、被検者の対象領域に従って選択して、所望の放射線ビームを前記被検者の前記対象領域に投影できるようにするコリメータ・コントローラと、を備え、
前記放射線検出面積モニタリング・ユニットは、ＣＴスキャン中に、放射線ビームが前記ＣＴコリメータの前記選択ブレードを介して前記放射線検出器に投影されるときに、前記放射源の焦点シフトによって生じる前記放射線検出器上の前記放射線検出面積のずれをモニタし、
前記コリメータ・コントローラは、前記ＣＴコリメータの前記回転スロット部分の回転角度を、前記放射線検出面積モニタリング・ユニットから受け取った前記モニタされたずれに従って補正して、前記放射源の前記焦点シフトによって生じる前記放射線検出面積の前記ずれをなくし、Ｚビーム・トラッキングを行なうことを図るように構成されている、ＣＴシステム。
【請求項１１】
前記ＣＴシステムはＸ線ＣＴシステムである請求項１０に記載のＣＴシステム。
【請求項１２】
前記コリメータ・コントローラは、メモリを備えるか、またはメモリに結合されている請求項１０に記載のＣＴシステム。
【請求項１３】
前記回転スロット部分内の各ブレードに対して予め決められた前記放射線検出面積の複数のずれと、Ｚビーム・トラッキングを行なうために前記回転スロット部分が回転する必要がある複数の対応する補正角度とが、テーブルの形態で前記メモリ内に記憶される請求項１２に記載のＣＴシステム。
【請求項１４】
前記コリメータ・コントローラは、前記選択ブレードに対する前記回転スロット部分の回転補正角度を、前記放射線検出面積の前記モニタされたずれに従って前記メモリ内の前記テーブル内を検索することによって決定し、前記回転スロット部分の前記決定された回転補正角度と前記選択ブレードの現在角度とに従って、Ｚビーム・トラッキングを行なうように構成されている請求項１３に記載のＣＴシステム。
【請求項１５】
前記コリメータ・コントローラは、
前記回転スロット部分の対応する回転補正角度を、前記テーブル内で、前記放射線検出面積の前記モニタされたずれに従って見出すことができなかった場合に、前記放射線検出面積の前記モニタされたずれに近接する２つのずれに対応する２つの回転補正角度を検索して、前記２つの回転補正角度の平均値もしくはそれらの間の補間を、前記回転スロット部分の前記決定された回転補正角度として使用するか、または、
前記回転スロット部分の対応する回転補正角度を、前記テーブル内で、前記放射線検出面積の前記モニタされたずれに従って見出すことができなかった場合に、前記放射線検出面積の前記モニタされたずれに最も近接するシフトに対応する回転補正角度を検索して、前記回転スロット部分の前記決定された回転補正角度として使用するように構成されている請求項１４に記載のＣＴシステム。
【請求項１６】
前記回転スロット部分内の各ブレードに対して予め決められた前記放射源の複数の焦点シフトと、Ｚビーム・トラッキングを行なうために前記回転スロット部分が回転する必要がある複数の補正角度とが、テーブルの形態で前記メモリ内に記憶される請求項１２に記載のＣＴシステム。
【請求項１７】
前記コリメータ・コントローラは、
前記放射源の焦点シフトを、前記放射線検出面積の前記モニタされたずれに従って決定し、
前記選択ブレードに対する前記回転スロット部分の回転補正角度を、前記決定された焦点シフトに従って前記メモリ内の前記テーブル内を検索することによって決定し、
前記回転スロット部分の前記決定された回転補正角度と前記選択ブレードの前記現在角度とに従ってＺビーム・トラッキングを行なうように構成されている請求項１６に記載のＣＴシステム。
【請求項１８】
前記コリメータ・コントローラは、
前記回転スロット部分の対応する回転補正角度を、前記テーブル内で、前記決定された焦点シフトに従って見出すことができなかった場合に、前記決定された焦点シフトに近接する２つの焦点シフトに対応する２つの回転補正角度を検索して、前記２つの回転補正角度の平均値もしくはそれらの間の補間を、前記回転スロット部分の前記決定された回転補正角度として使用するか、または、
前記回転スロット部分の対応する回転補正角度を、前記テーブル内で、前記決定された焦点シフトに従って見出すことができなかった場合に、前記決定された焦点シフトに最も近接する前記焦点シフトに対応する回転補正角度を検索して、前記回転スロット部分の前記決定された回転補正角度として使用するように構成されている請求項１７に記載のＣＴシステム。
【請求項１９】
前記コリメータ・コントローラはさらに、
前記ＣＴコリメータの前記回転スロット部分の回転角度を補正した後に、前記放射線検出面積モニタリング・ユニットから受け取った前記放射線検出面積の最後のモニタされたずれを所定の閾値と比較して、前記放射線検出面積の最後のモニタされたずれが所定の閾値を超えていなかったら、前記Ｚビーム・トラッキングを停止するか、または、前記放射線検出面積の最後のモニタされたずれが前記所定の閾値を超えていたら、新しいＺビーム・トラッキングを、前記前記放射線検出面積の最後のモニタされたずれが前記所定の閾値を超えなくなるまで行なうように構成されている請求項１０〜１８のいずれか一項に記載のＣＴシステム。